(57)【要約】【課題】従来の車載装置は、走行時の状況に応じて危険予測を行うことができなかった。【解決手段】危険であると判断するための１以上の危険判断条件が格納される危険判断条件格納部と、移動体が走行している道路に関する情報である道路関連情報を取得する道路関連情報取得部と、走行時の移動体に関する情報である移動体関連情報を取得する移動体関連情報取得部と、道路関連情報取得部が取得した道路関連情報と、移動体関連情報取得部が取得した移動体関連情報とが、１以上の危険判断条件のいずれかに合致するか否かを判断する危険判断部と、危険判断部が、１以上の危険判断条件のいずれかに合致すると判断した場合に、危険である旨を出力する危険報知部とを備える車載装置により、走行している道路や移動体の状況に応じて危険予測を行うことができる。【選択図】図１
2014089554.tif 000002
【特許請求の範囲】
【請求項１】
危険であると判断するための１以上の危険判断条件が格納される危険判断条件格納部と、
移動体が走行している道路に関する情報である道路関連情報を取得する道路関連情報取得部と、
走行時の移動体に関する情報である移動体関連情報を取得する移動体関連情報取得部と、
前記道路関連情報取得部が取得した道路関連情報と、前記移動体関連情報取得部が取得した移動体関連情報とが、前記１以上の危険判断条件のいずれかに合致するか否かを判断する危険判断部と、
前記危険判断部が、前記１以上の危険判断条件のいずれかに合致すると判断した場合に、危険である旨を出力する危険報知部とを備える車載装置。
【請求項２】
前記危険判断条件は、移動体が走行している道路の種類を示す道路種類情報に関する条件と、移動体の速度を示す速度情報に関する条件とを有する条件であり、
道路の種類を示す道路種類情報を有する１以上の道路情報を有する地図情報が格納される地図情報格納部と、
移動体の現在位置を示す現在位置情報を取得する現在位置情報取得部とをさらに備え、
前記道路関連情報取得部は、
前記現在位置情報取得部が取得した現在位置情報が示す現在位置に位置する道路の種類を示す道路種類情報を、前記地図情報格納部から取得し、
前記移動体関連情報取得部は、
速度情報を取得し、
前記危険判断部は、
前記道路関連情報取得部が取得した道路種類情報と、前記移動体関連情報取得部が取得した速度情報とが、前記１以上の危険判断条件のいずれかに合致するか否かを判断する請求項１記載の車載装置。
【請求項３】
前記危険判断条件は、２以上の道路種類情報の履歴と、速度情報に関する条件とを有する条件であり、
前記危険判断部は、
前記道路種類情報取得手段が取得した２以上の道路種類情報の履歴と、前記速度情報取得手段が取得した速度情報とが、前記１以上の危険判断条件のいずれに合致するか否かを判断する請求項２記載の車載装置。
【請求項４】
前記危険判断条件は、移動体が走行している道路の種類が高速道路から一般道路になり、かつ移動体の速度が所定の速度以上であることである請求項３記載の車載装置。
【請求項５】
前記危険判断条件は、他の移動体との関係に関する情報である他移動体関連情報に関する条件をも有する条件であり
他移動体関連情報を取得する他移動体関連情報取得部をさらに備え、
前記危険判断部は、
前記他移動体関連情報取得部が取得した他移動体関連情報をも、前記１以上の危険判断条件のいずれかに合致するか否かを判断する請求項１記載の車載装置。
【請求項６】
前記危険判断条件は、移動体が走行している道路の構造を示す道路構造情報に関する条件と、他の移動体との距離に関する情報である距離関連情報に関する条件とを有する条件であり、
道路の構造を示す道路構造情報を有する１以上の道路情報を有する地図情報が格納される地図情報格納部と、
移動体の現在位置を示す現在位置情報を取得する現在位置情報取得部とをさらに備え、
前記道路関連情報取得部は、
前記現在位置情報取得部が取得した現在位置情報が示す現在位置に位置する道路の構造を示す道路構造情報を、前記地図情報格納部から取得し、
前記他移動体関連情報取得部は、
他の移動体との距離に関する情報である距離関連情報を取得し、
前記危険判断部は、
前記道路関連情報取得部が取得した道路種類情報と、前記他移動体関連情報取得部が取得した距離関連情報とが、前記１以上の危険判断条件のいずれかに合致するか否かを判断する請求項５記載の車載装置。
【請求項７】
前記危険判断条件は、移動体がトンネルに進入し、かつ他の移動体との距離が所定の距離以下であることである請求項６記載の車載装置。
【請求項８】
前記他移動体関連情報取得部は、
移動体の前方の画像である前方画像を取得する前方画像取得手段と、
前記前方画像取得手段が取得した前方画像から移動体を検出し、当該前方画像中の移動体である他の移動体との距離を示す距離関連情報を取得する距離関連情報取得手段とを備える請求項６または請求項７記載の車載装置。
【請求項９】
前記危険判断条件は、走行時の天候に関する情報である天候関連情報に関する条件をも有する条件であり、
天候関連情報を取得する天候関連情報取得部をさらに備え、
前記危険判断部は、
前記天候関連情報取得部が取得した天候関連情報をも、前記１以上の危険判断条件のいずれかに合致するか否かを判断する請求項１記載の車載装置。
【請求項１０】
前記危険報知部は、
前記危険判断部が合致すると判断した危険判断条件に応じた出力を行う請求項１から請求項９いずれか一項に記載の車載装置。
【請求項１１】
前記危険報知部は、
危険である旨を画面出力する請求項１から請求項１０いずれか一項に記載の車載装置。
【請求項１２】
危険であると判断するための１以上の危険判断条件が格納される危険判断条件格納部と、道路関連情報取得部と、移動体関連情報取得部と、危険判断部と、危険報知部とを用いて行われる危険予測方法であって、
前記道路関連情報取得部が、
移動体が走行している道路に関する情報である道路関連情報を取得する道路関連情報取得ステップと、
前記移動体関連情報取得部が、
走行時の移動体に関する情報である移動体関連情報を取得する移動体関連情報取得ステップと、
前記危険判断部が、
前記道路関連情報取得部が取得した道路関連情報と、前記移動体関連情報取得部が取得した移動体関連情報とが、前記１以上の危険判断条件のいずれかに合致するか否かを判断する危険判断ステップと、
前記危険報知部が、
前記危険判断部が、前記１以上の危険判断条件のいずれかに合致すると判断した場合に、危険である旨を出力する危険報知ステップとを備える危険予測方法。
【請求項１３】
危険であると判断するための１以上の危険判断条件が格納される危険判断条件格納部にアクセス可能なコンピュータを、
移動体が走行している道路に関する情報である道路関連情報を取得する道路関連情報取得部と、
走行時の移動体に関する情報である移動体関連情報を取得する移動体関連情報取得部と、
前記道路関連情報取得部が取得した道路関連情報と、前記移動体関連情報取得部が取得した移動体関連情報とが、前記１以上の危険判断条件のいずれかに合致するか否かを判断する危険判断部と、
前記危険判断部が、前記１以上の危険判断条件のいずれかに合致すると判断した場合に、危険である旨を出力する危険報知部として機能させるためのプログラム。
【発明の詳細な説明】
【技術分野】
【０００１】
本発明は、車載装置等に関するものである。
【背景技術】
【０００２】
従来、他車両の挙動から衝突の危険性を予測し、当該衝突を回避する装置等が開発されている（特許文献１参照）。
【先行技術文献】
【特許文献】
【０００３】
【特許文献１】特開２０１１−２４２８８７
【発明の概要】
【発明が解決しようとする課題】
【０００４】
例えば、走行している道路の種類や、走行している道路の構造、走行時の速度など、走行している道路や移動体の状況に応じて、危険であると判断する条件は異なる。しかしながら、従来の車載装置では、走行している道路や移動体の状況に応じて危険予測を行うことができなかった。
【課題を解決するための手段】
【０００５】
本第一の発明の車載装置は、危険であると判断するための１以上の危険判断条件が格納される危険判断条件格納部と、移動体が走行している道路に関する情報である道路関連情報を取得する道路関連情報取得部と、走行時の移動体に関する情報である移動体関連情報を取得する移動体関連情報取得部と、道路関連情報取得部が取得した道路関連情報と、移動体関連情報取得部が取得した移動体関連情報とが、１以上の危険判断条件のいずれかに合致するか否かを判断する危険判断部と、危険判断部が、１以上の危険判断条件のいずれかに合致すると判断した場合に、危険である旨を出力する危険報知部とを備える車載装置である。
【０００６】
このような構成により、走行している道路や移動体の状況に応じて危険予測を行うことができる。
【０００７】
また、本第二の発明の車載装置は、第一の発明に対して、危険判断条件は、移動体が走行している道路の種類を示す道路種類情報に関する条件と、移動体の速度を示す速度情報に関する条件とを有する条件であり、道路の種類を示す道路種類情報を有する１以上の道路情報を有する地図情報が格納される地図情報格納部と、移動体の現在位置を示す現在位置情報を取得する現在位置情報取得部とをさらに備え、道路関連情報取得部は、現在位置情報取得部が取得した現在位置情報が示す現在位置に位置する道路の種類を示す道路種類情報を、地図情報格納部から取得し、移動体関連情報取得部は、速度情報を取得し、危険判断部は、道路関連情報取得部が取得した道路種類情報と、移動体関連情報取得部が取得した速度情報とが、１以上の危険判断条件のいずれかに合致するか否かを判断する車載装置である。
【０００８】
このような構成により、走行している道路の種類と、移動体の速度とに応じて危険予測を行うことができる。
【０００９】
また、本第三の発明の車載装置は、第二の発明に対して、危険判断条件は、２以上の道路種類情報の履歴と、速度情報に関する条件とを有する条件であり、危険判断部は、道路種類情報取得手段が取得した２以上の道路種類情報の履歴と、速度情報取得手段が取得した速度情報とが、１以上の危険判断条件のいずれに合致するか否かを判断する車載装置である。
【００１０】
このような構成により、走行した道路の種類の履歴と、移動体の速度とに応じて危険予測を行うことができる。
【００１１】
また、本第四の発明の車載装置は、第三の発明に対して、危険判断条件は、移動体が走行している道路の種類が高速道路から一般道路になり、かつ移動体の速度が所定の速度以上であることである車載装置である。
【００１２】
このような構成により、走行している道路が高速道路から一般道になり、かつ速度が所定の速度以上である場合に、危険であると判断することができる。
【００１３】
また、本第五の発明の車載装置は、第一の発明に対して、危険判断条件は、他の移動体との関係に関する情報である他移動体関連情報に関する条件をも有する条件であり他移動体関連情報を取得する他移動体関連情報取得部をさらに備え、危険判断部は、他移動体関連情報取得部が取得した他移動体関連情報をも、１以上の危険判断条件のいずれかに合致するか否かを判断する車載装置である。
【００１４】
このような構成により、他の移動体との関係にも応じて危険予測を行うことができる。
【００１５】
また、本第六の発明の車載装置は、第五の発明に対して、危険判断条件は、移動体が走行している道路の構造を示す道路構造情報に関する条件と、他の移動体との距離に関する情報である距離関連情報に関する条件とを有する条件であり、道路の構造を示す道路構造情報を有する１以上の道路情報を有する地図情報が格納される地図情報格納部と、移動体の現在位置を示す現在位置情報を取得する現在位置情報取得部とをさらに備え、道路関連情報取得部は、現在位置情報取得部が取得した現在位置情報が示す現在位置に位置する道路の構造を示す道路構造情報を、地図情報格納部から取得し、他移動体関連情報取得部は、他の移動体との距離に関する情報である距離関連情報を取得し、危険判断部は、道路関連情報取得部が取得した道路種類情報と、他移動体関連情報取得部が取得した距離関連情報とが、１以上の危険判断条件のいずれかに合致するか否かを判断する車載装置である。
【００１６】
このような構成により、走行している道路の構造と、他の移動体との距離とに応じて危険予測を行うことができる。
【００１７】
また、本第七の発明の車載装置は、第六の発明に対して、危険判断条件は、移動体がトンネルに進入し、かつ他の移動体との距離が所定の距離以下であることである車載装置である。
【００１８】
このような構成により、トンネルに進入し、かつ他の移動体との距離が所定の距離以下である場合に、危険であると判断することができる。
【００１９】
また、本第八の発明の車載装置は、第六または第七の発明に対して、他移動体関連情報取得部は、移動体の前方の画像である前方画像を取得する前方画像取得手段と、前方画像取得手段が取得した前方画像から移動体を検出し、前方画像中の移動体である他の移動体との距離を示す距離関連情報を取得する距離関連情報取得手段とを備える車載装置である。
【００２０】
このような構成により、他の移動体との距離を、前方の画像を用いて算出することができる。
【００２１】
また、本第九の発明の車載装置は、第一の発明に対して、危険判断条件は、走行時の天候に関する情報である天候関連情報に関する条件をも有する条件であり、天候関連情報を取得する天候関連情報取得部をさらに備え、危険判断部は、天候関連情報取得部が取得した天候関連情報をも、１以上の危険判断条件のいずれかに合致するか否かを判断する車載装置である。
【００２２】
このような構成により、走行時の天候にも応じて危険予測を行うことができる。
【００２３】
また、本第十の発明の車載装置は、第一から第九いずれか１つの発明に対して、危険報知部は、危険判断部が合致すると判断した危険判断条件に応じた出力を行う車載装置である。
【００２４】
このような構成により、危険である旨の判断結果に応じて、出力の方法や内容などを変更することができる。
【００２５】
また、本第十一の発明の車載装置は、第一から第十いずれか１つの発明に対して、危険報知部は、危険である旨を画面出力する車載装置である。
【００２６】
このような構成により、危険である旨を画面出力することができる。
【発明の効果】
【００２７】
本発明による車載装置等によれば、走行している道路や移動体の状況に応じて危険予測を行うことができる。
【図面の簡単な説明】
【００２８】
【図１】実施の形態１における車載装置１のブロック図
【図２】同車載装置１の全体動作について説明するフローチャート
【図３】同危険判断条件に合致するか否かの判断処理について説明するフローチャート
【図４】同危険判断条件の例を示す図
【図５】同画面出力の例を示す図
【図６】同画面出力の例を示す図
【図７】同前方画像の例を示す図
【図８】同前方画像からの輪郭抽出の例を示す図
【図９】同危険判断条件の例を示す図
【図１０】上記実施の形態におけるコンピュータシステムの概観図
【図１１】上記実施の形態におけるコンピュータシステムのブロック図
【発明を実施するための形態】
【００２９】
以下、本発明による車載装置等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００３０】
（実施の形態１）
本実施の形態において、移動体が走行している道路や、移動体の速度、他の移動体との距離などに応じて危険予測を行う車載装置１について説明する。
【００３１】
なお、本実施の形態における車載装置１は、例えば、カーナビゲーションシステムや、ディスプレイ・オーディオなどであり、通常、移動体に搭載される。また、移動体は、例えば、自動車や、バイク、自転車などである。なお、移動体には、人を含んでもよい。
【００３２】
図１は、本実施の形態における車載装置１のブロック図である。車載装置１は、危険判断条件格納部１１、地図情報格納部１２、現在位置情報取得部１３、道路関連情報取得部１４、移動体関連情報取得部１５、他移動体関連情報取得部１６、天候関連情報取得部１７、危険判断部１８、危険報知部１９を備える。また、他移動体関連情報取得部１６は、前方画像取得手段１６１、距離関連情報取得手段１６２を備える。
【００３３】
危険判断条件格納部１１には、危険であると判断するための１以上の危険判断条件が格納される。危険判断条件とは、例えば、移動体が走行している道路に関する条件である道路関連条件や、走行時の移動体に関する条件である移動体関連条件、車載装置１が搭載されている移動体（以下、適宜、自車）と他の移動体（以下、適宜、他車）との関係に関する条件である他移動体関連条件、走行時の天候に関する条件である天候関連条件などである。
【００３４】
道路関連条件は、通常、移動体が走行している道路に関する情報である道路関連情報に関する条件である。道路関連情報は、例えば、道路の種類や、道路の構造、道路の名称、道路の制限速度、道路の傾斜などを示す情報である。道路の種類とは、例えば、高速道路や、一般道路、県道、市道などである。また、道路の構造とは、例えば、トンネルや、橋、高架などである。
【００３５】
以上より、道路関連条件は、例えば、「高速道路を走行していること」や、「高速道路を下りたこと」、「走行している道路が高速道路から一般道路になったこと」、「トンネルに進入したこと」などである。
【００３６】
また、移動体関連条件は、通常、走行時の移動体に関する情報である移動体関連情報に関する条件である。移動体関連情報は、通常、移動体の走行時の速度に関する情報である速度関連情報である。速度関連情報は、例えば、移動体の速度や、移動体の加速度、移動体の角速度、移動体の角加速度、移動体の速度が速くなっているか遅くなっているかの判断結果などを示す情報である。
【００３７】
以上より、移動体関連条件は、例えば、「速度が６０ｋｍ／ｈ以上であること」や、「速度が上昇していること」などである。
【００３８】
また、他移動体関連条件は、通常、自車と他車との関係に関する情報である他移動体関連情報に関する条件である。他移動体関連情報は、例えば、自車と他車との距離に関する情報である距離関連情報や、自車と他車との速度の差を示す速度差情報、自車と他車との進行方向の差を示す進行方向差情報、自車と他車との位置関係などを示す位置関係情報などである。また、距離関連情報は、例えば、自車と他車との距離（前後、左右）を示す距離情報や、自車と他車との距離が縮まっているか伸びているか（他車に近づいているか他車から遠ざかっているか）の判断結果を示す距離変化情報などである。
【００３９】
距離変化情報は、例えば、距離が縮まっていることを示す「縮」や、他車に接近していることを示す「接近」などである。また、速度差情報は、例えば、自車が他車よりも「１０ｋｍ／ｈ」速いことを示す「＋１０ｋｍ／ｈ」や、自車よりも他車の方が速いことを示す「速」などである。また、速度差情報は、例えば、自車に対する他車の速度の差を示す情報であってもよい。また、進行方向差情報は、例えば、自車の進行方向が他車の進行方向に対して「１０°」傾いていることを示す「＋１０°」や、自車の進行方向が他車の進行方向の逆であることを示す「逆」などである。また、位置関係情報は、例えば、他車が自車の前方に位置することを示す「前」や、自車からみて北の方向に他車が位置することを示す「北」などである。また、他移動体関連情報は、例えば、自車に対する他車の関係を示してもよいし、他車に対する自車の関係を示してもよい。
【００４０】
以上より、他移動体関連条件は、例えば、「前方の他車との車間距離が４ｍ以下であること」や、「前方の移動体に近づいていること」、「自車と他車との速度の差が１０ｋｍ／ｈ以上であること」、「自車と他車との進行方向が同じであること」、「他車が自車の前方に位置すること」などである。
【００４１】
また、天候関連条件は、通常、走行時の天候に関する情報である天候関連情報に関する条件である。天候関連情報は、例えば、天気や、降水量、風速、風向などを示す情報である。
【００４２】
以上より、天候関連条件は、例えば、「天気が晴れであること」や、「風速が５ｍ／ｓ以上であること」、「雨が降っていること」、「北向きの風であること」などである。
【００４３】
また、危険判断条件は、例えば、上記の２以上の条件の組み合わせであってもよい。組み合わせとは、通常、論理積（ＡＮＤ）であるが、論理和（ＯＲ）であってもよい。この場合、危険判断条件は、例えば、道路の種類に関する条件と、移動体の速度に関する条件との組み合わせや、道路の構造に関する条件と、車間距離に関する条件との組み合わせ、移動体の速度に関する条件と、天気に関する条件との組み合わせ、道路の構造に関する条件と、風速および風向に関する条件との組み合わせなどである。また、危険判断条件は、通常、少なくとも道路関連条件を有することが好適である。
【００４４】
また、危険判断条件には、後述の危険報知部１９が出力する内容を示す報知内容情報が対応付いていてもよい。報知内容情報は、例えば、危険である旨を画面に出力することを示す「画面出力」や、危険である旨を警告音により報知することを示す「警告音」、画面に出力する文字である「危険！！」、警告音を識別する「Ａｌｅｒｔ．ｍｐ３」などである。
【００４５】
地図情報格納部１２には、地図を示す地図情報が格納される。地図情報が示す地図の種類は、問わない。また、地図情報は、通常、カーナビゲーションで用いられるＫＩＷＩフォーマットのものであるが、例えば、いわゆるラスタデータや、いわゆるベクタデータであってもよい。また、地図情報は、通常、１以上の道路情報を有する。また、当該道路情報は、通常、道路の種類を示す道路種類情報や、道路の構造を示す道路構造情報、道路の名称を示す道路名称情報、道路の起点や終点、通過地点などの位置を示す道路位置情報などを有する。当該位置情報は、通常、経緯度を示す経緯度情報である。また、地図情報は、例えば、地形を示す地形情報や、当該地形の範囲を示す地形範囲情報などを有していてもよい。地形範囲情報は、通常、１以上の位置情報を有しており、当該１以上の位置情報が示す位置により、地形の範囲が示される。また、地図情報は、例えば、地図上の１以上の地点を示す１以上の地点情報を有していてもよい。当該地点は、例えば、駅や、観光名所、公園、テーマパーク、その他の建造物などある。
【００４６】
現在位置情報取得部１３は、移動体の現在位置を示す現在位置情報を取得する。当該位置情報は、通常、経緯度を示す経緯度情報であるが、高度を示す高度情報であってもよい。また、現在位置情報取得部１３は、通常、定期的に現在位置情報を取得する。また、現在位置情報取得部１３は、通常、衛星航法システム（ＧＰＳ受信機など）や、移動体通信用の基地局から位置情報を受信する装置などから、現在位置情報を取得する。この場合、現在位置情報取得部１３は、これらの装置を有していてもよいし、これらの装置で実現され得てもよい。また、現在位置情報取得部１３の処理手順は、通常、ソフトウェアで実現され、当該ソフトウェアはＲＯＭ等の記録媒体に記録されている。
【００４７】
道路関連情報取得部１４は、移動体が走行している道路に関する情報である道路関連情報を取得する。道路関連情報取得部１４は、通常、定期的に道路関連情報を取得する。また、道路関連情報取得部１４は、例えば、ユーザからの指示に応じて道路関連情報を取得してもよい。
【００４８】
また、道路関連情報取得部１４は、通常、道路関連情報を、地図情報格納部１２から取得する。当該道路関連情報は、現在位置情報取得部１３が取得した現在位置情報が示す現在位置に位置する道路に関する情報である。例えば、道路種類情報を取得する場合、道路関連情報取得部１４は、まず、現在位置情報取得部１３が取得した現在位置情報が示す現在位置に位置する道路を示す道路情報を、地図情報格納部１２に格納されている地図情報が有する１以上の道路情報から取得する。このとき、道路関連情報取得部１４は、通常、現在位置情報が示す現在位置と、道路位置情報が示す道路の位置との距離が近いか否かなどを判断することで、現在位置に位置する道路を特定し、当該道路を示す道路情報を取得する。そして、道路関連情報取得部１４は、取得した道路情報が有する道路種類情報を取得する。
【００４９】
なお、道路の構造や、道路の名称などを示すその他の道路関連情報の取得の方法や手順などは、道路種類情報の取得の方法や手順などと同様であるので、説明を省略する。
【００５０】
移動体関連情報取得部１５は、走行時の移動体に関する情報である移動体関連情報を取得する。移動体関連情報取得部１５は、通常、定期的に移動体関連情報を取得する。また、移動体関連情報取得部１５は、例えば、ユーザからの指示に応じて移動体関連情報を取得してもよい。
【００５１】
例えば、速度情報を取得する場合、移動体関連情報取得部１５は、通常、速度センサや、速度計などの装置から、速度情報を取得する。この場合、移動体関連情報取得部１５は、例えば、これらの装置を有していてもよいし、これらの装置で実現され得てもよい。また、移動体関連情報取得部１５の処理手順は、通常、ソフトウェアで実現され、当該ソフトウェアはＲＯＭ等の記録媒体に記録されている。
【００５２】
また、移動体関連情報取得部１５は、例えば、加速度や、角加速度などのその他の速度関連情報を取得してもよい。この場合、移動体関連情報取得部１５は、通常、加速度センサや、ジャイロ、これらの装置から取得した情報を表示する装置などから、速度関連情報を取得する。また、この場合、移動体関連情報取得部１５は、例えば、これらの装置を有していてもよいし、これらの装置で実現され得てもよい。
【００５３】
他移動体関連情報取得部１６は、他移動体関連情報を取得する。他移動体関連情報取得部１６は、通常、定期的に他移動体関連情報を取得する。また、他移動体関連情報取得部１６は、例えば、ユーザからの指示に応じて他移動体関連情報を取得してもよい。また、他移動体関連情報取得部１６は、通常、後述の各手段により、他移動体関連情報を取得する。つまり、後述の各手段が取得した他移動体関連情報は、他移動体関連情報取得部１６が取得した他移動体関連情報となる。
【００５４】
前方画像取得手段１６１は、移動体の前方の画像である前方画像を取得する。前方画像は、当該２以上の画像を有する映像であってもよい。また、前方画像取得手段１６１は、通常、ＣＭＯＳやＣＣＤなどのイメージセンサ（固体撮像素子）や、イメージセンサを用いたカメラ（デジタルスチルカメラ、デジタルビデオカメラ）などから、前方画像を取得する。また、この場合、前方画像取得手段１６１は、例えば、これらの装置を有していてもよいし、これらの装置で実現され得てもよい。また、前方画像取得手段１６１の処理手順は、通常、ソフトウェアで実現され、当該ソフトウェアはＲＯＭ等の記録媒体に記録されている。
【００５５】
距離関連情報取得手段１６２は、他の移動体との距離（車間距離）に関する情報である距離関連情報を取得する。距離関連情報取得手段１６２は、通常、前方画像取得手段１６１が取得した前方画像を使用せずに、または使用して、距離関連情報を取得する。また、距離関連情報取得手段１６２は、通常、自車と他車との距離を示す距離情報を取得する。また、距離関連情報取得手段１６２は、通常、一の他車について取得した２以上の距離情報を用いて、自車が当該他車に近づいているか、または自車が当該他車から遠ざかっているかを示す距離変化情報を取得する。
【００５６】
前方画像を使用しない場合、距離関連情報取得手段１６２は、例えば、自車の位置を示す自車位置情報と、他車の位置を示す他車位置情報とを用いて、距離情報を取得する。当該「取得」は、通常、「算出」である。また、自車位置情報、および他車位置情報は、通常、経緯度であるが、地図上の座標や、高度であってもよい。
【００５７】
また、距離関連情報取得手段１６２は、通常、他車位置情報を、いわゆる車車間通信により取得する。当該「取得」は、通常、「受信」である。また、距離関連情報取得手段１６２は、通常、１以上の他車位置情報を取得する。従って、距離関連情報取得手段１６２は、自車位置情報と、１以上の他車位置情報とを用いて、１以上の距離情報を取得する。なお、自車位置情報と、他車位置情報との２つの位置情報を用いて、当該２つの位置間の距離を示す距離情報を算出する方法や手順などは、公知であるので、詳細な説明を省略する。
【００５８】
また、前方画像を使用する場合、距離関連情報取得手段１６２は、例えば、当該前方画像から他車を検出し、当該他車との距離を示す距離情報を取得する。距離関連情報取得手段１６２は、例えば、前方画像から、他車が写っている領域を検出する。当該領域の検出は、例えば、輪郭抽出（エッジ検出）や、抽出した輪郭のパターン認識などにより行う。輪郭抽出や、パターン認識などは、公知の技術であるので、詳細な説明を省略する。なお、他車が写っている領域の検出は、当該領域を検出することができれば、その方法は問わない。そして、距離関連情報取得手段１６２は、例えば、前方画像の大きさに対する検出した領域の大きさの割合や、検出した領域の大きさなどから、他車までの距離を示す距離情報を算出する。この場合、距離関連情報取得手段１６２は、例えば、当該割合や、検出した領域の大きさなどから距離情報を算出する式を保持しており、当該式に算出した割合や、検出した領域の大きさを代入することで、距離情報を算出する。
【００５９】
また、距離変化情報を取得する場合、距離関連情報取得手段１６２は、通常、一の他の移動体について取得した２以上の距離情報（時間的に先の距離情報と、時間的に後の距離情報）を比較する。そして、時間的に後の距離情報が、時間的に先の距離情報よりも小さい場合、距離関連情報取得手段１６２は、他車に近づいていると判断し、他車に近づいていることを示す距離変化情報を取得する。また、例えば、時間的に後の距離情報が、時間的に先の距離情報よりも大きい場合、距離関連情報取得手段１６２は、他車から遠ざかっていると判断し、他車から遠ざかっていることを示す距離変化情報を取得する。また、例えば、時間的に後の距離情報と、時間的に先の距離情報とが同じ場合、距離関連情報取得手段１６２は、他車との距離に変化がないと判断し、他車との距離に変化がないことを示す距離変化情報を取得する。
【００６０】
また、距離関連情報取得手段１６２は、通常、衛星航法システム（ＧＰＳ受信機など）や、移動体通信用の基地局から位置情報を受信する装置などから、自車位置情報を取得する。この場合、距離関連情報取得手段１６２は、これらの装置を有していてもよいし、これらの装置で実現され得てもよい。また、距離関連情報取得手段１６２は、他車位置情報を取得するために、通常、無線または有線の通信手段で実現されるが、放送を受信する手段で実現されてもよい。また、距離関連情報取得手段１６２は、例えば、レーザ距離測定装置や、赤外線距離センサなどの距離を測定する装置などから、距離情報を取得してもよい。この場合、距離関連情報取得手段１６２は、これらの装置を有していてもよいし、これらの装置で実現され得てもよい。また、距離関連情報取得手段１６２の処理手順は、通常、ソフトウェアで実現され、当該ソフトウェアはＲＯＭ等の記録媒体に記録されている。
【００６１】
なお、速度差情報や、進行方向差情報、位置関係情報などのその他の他移動体関連情報の取得は、例えば、他移動体関連情報取得手段（図示せず）が行ってもよい。この場合、他移動体関連情報取得手段は、通常、他移動体関連情報取得部１６が備えている。
【００６２】
他移動体関連情報取得手段は、速度差情報を取得する。移動体関連情報取得手段は、通常、移動体関連情報取得部１５が取得した自車の速度情報と、他車の速度情報とを用いて、速度差情報を取得する。当該「取得」は、通常、「算出」である。また、他移動体関連情報取得手段は、例えば、前方画像取得手段１６１が取得した２以上の前方画像を用いて、速度差情報を取得してもよい。この場合、他移動体関連情報取得手段は、例えば、時間的に連続する２つの前方画像から他車が写っている領域を検出する。当該他車は、通常、同一である。そして、他移動体関連情報取得手段は、当該検出した２つの領域（時間的に先の領域と、時間的に後の領域）の大きさを比較する。そして、時間的に後の領域が、時間的に先の領域よりも小さい場合、他移動体関連情報取得手段は、他車の方が速いと判断し、他車の方が速いことを示す速度差情報を取得する。また、例えば、時間的に後の領域が、時間的に先の領域よりも大きい場合、他移動体関連情報取得手段は、自車の方が速いと判断し、自車の方が速いことを示す速度差情報を取得する。また、例えば、時間的に後の領域と、時間的に先の領域との大きさが同じ場合、他移動体関連情報取得手段は、他車との速度に佐賀ないと判断し、他車との速度に差がないことを示す速度差情報を取得する。
【００６３】
また、他移動体関連情報取得手段は、進行方向差情報を取得する。移動体関連情報取得手段は、通常、いわゆる方位センサや、地磁気センサなどから進行方向情報を取得する。そして、他移動体関連情報取得手段は、自車の進行方向情報と、他車の進行方向情報とを用いて、進行方向差情報を取得する。当該「取得」は、通常、「算出」である。
【００６４】
また、他移動体関連情報取得手段は、位置関係情報を取得する。他移動体関連情報取得手段は、通常、現在位置情報取得部１３が取得した現在位置情報（以下、適宜、自車位置情報）と、他車の現在位置情報（以下、適宜、他車位置情報）とを用いて、位置関係情報を取得する。当該「取得」は、通常、「算出」である。なお、自車位置情報と、他車位置情報との２つの位置情報を用いて、当該２つの位置関係を示す位置関係情報を算出する方法や手順などは、公知であるので、詳細な説明を省略する。
【００６５】
なお、他移動体関連情報取得手段は、他車の速度情報や、他車の進行方向情報、他車の現在位置情報などを、いわゆる車車間通信により取得する。当該「取得」は、通常、「受信」である。
【００６６】
天候関連情報取得部１７は、天候関連情報を取得する。天候関連情報取得部１７は、通常、照度計や、雲量計、風速計などの装置から、天候関連情報を取得する。この場合、天候関連情報取得部１７は、例えば、これらの装置を有していてもよいし、これらの装置で実現され得てもよい。また、天候関連情報取得部１７の処理手順は、通常、ソフトウェアで実現され、当該ソフトウェアはＲＯＭ等の記録媒体に記録されている。
【００６７】
なお、道路関連情報取得部１４、移動体関連情報取得部１５、他移動体関連情報取得部１６、天候関連情報取得部１７は、それぞれ、例えば、危険判断条件格納部１１に格納されている危険判断条件の内容に応じて、所定の情報を取得してもよい。
【００６８】
例えば、危険判断条件が、道路種類情報に関する条件を有する場合、道路関連情報取得部１４は、道路種類情報を取得する。また、例えば、危険判断条件が、道路構造情報に関する条件を有する場合、道路関連情報取得部１４は、道路構造情報を取得する。
【００６９】
また、例えば、危険判断条件が、速度情報に関する条件を有する場合、移動体関連情報取得部１５は、速度情報を取得する。また、例えば、危険判断条件が、加速度情報に関する条件を有する場合、移動体関連情報取得部１５は、加速度情報を取得する。
【００７０】
また、例えば、危険判断条件が、距離変化情報に関する条件を有する場合、他移動体関連情報取得部１６は、距離変化情報を取得する。また、例えば、危険判断条件が、速度差情報に関する条件を有する場合、他移動体関連情報取得部１６は、速度差情報を取得する。
【００７１】
また、例えば、危険判断条件が、天気情報に関する条件を有する場合、天候関連情報取得部１７は、天気情報を取得する。また、例えば、危険判断条件が、降水量を示す降水量情報に関する条件を有する場合、天候関連情報取得部１７は、降水量情報を取得する。
【００７２】
危険判断部１８は、道路関連情報取得部１４が取得した道路関連情報、移動体関連情報取得部１５が取得した移動体関連情報、他移動体関連情報取得部１６が取得した他移動体関連情報、天候関連情報取得部１７が取得した天候関連情報のうちの１以上の情報が、危険判断条件格納部１１に格納されている１以上の危険判断条件のいずれかに合致するか否かを判断する。また、危険判断部１８は、例えば、当該道路関連情報などが、当該１以上の危険判断条件のいずれにも合致しないか否かを判断してもよい。
【００７３】
例えば、道路関連情報取得部１４が道路種類情報を取得し、移動体関連情報取得部１５が速度情報を取得した場合、危険判断部１８は、当該道路種類情報と速度情報とが、１以上の危険判断条件のいずれかに合致するか否かを判断する。また、例えば、道路関連情報取得部１４が速度情報を取得し、天候関連情報取得部１７が天気を示す天気情報を取得した場合、危険判断部１８は、当該速度情報と天気情報とが、１以上の危険判断条件のいずれかに合致するか否かを判断する。また、例えば、道路関連情報取得部１４が道路構造情報を取得し、他移動体関連情報取得部１６が距離情報と距離変化情報とを取得した場合、危険判断部１８は、当該道路構造情報と距離情報と距離変化情報とが、１以上の危険判断条件のいずれかに合致するか否かを判断する。
【００７４】
また、危険判断部１８は、例えば、時間的に異なる２以上の道路関連情報が、１以上の危険判断条件のいずれかに合致するか否かを判断してもよい。例えば、道路関連情報取得部１４が時刻ｔ１とｔ２において道路種類情報を取得したとする。この場合、危険判断部１８は、当該２つの道路種類情報が、１以上の危険判断条件のいずれかに合致するか否かを判断する。また、例えば、道路関連情報取得部１４が時刻ｔ１とｔ２において道路構造情報を取得したとする。この場合、危険判断部１８は、当該２つの道路構造情報が、１以上の危険判断条件のいずれかに合致するか否かを判断する。
【００７５】
例えば、道路種類情報が「高速道路」であるとする。また、危険判断条件が「道路種類＝高速道路ｏｒ自動車専用道路」であるとする。この場合、危険判断部１８は、当該道路種類情報が、当該危険判断条件に合致すると判断する。
【００７６】
また、例えば、時間的に異なる２つの道路種類情報が「高速道路」と「一般道路」であり、速度情報が「８５ｋｍ／ｈ」であるとする。また、危険判断条件が「（道路種類＝高速道路→一般道路）＆（速度≧８０ｋｍ／ｈ）」であるとする。この場合、危険判断部１８は、当該道路種類情報と速度情報とが、当該危険判断条件に合致すると判断する。
【００７７】
また、例えば、道路構造情報が「トンネル」であり、距離情報が「２５ｍ」であり、距離変化情報が「接近中」であるとする。また、危険判断条件が「（道路構造＝トンネル）＆（距離≦３０ｍ）＆（距離変化＝接近中）」であるとする。この場合、危険判断部１８は、当該道路構造情報と距離情報と距離変化情報とが、当該危険判断条件に合致すると判断する。
【００７８】
また、例えば、危険判断条件に報知内容情報が対応付いている場合、危険判断部１８は、通常、道路関連情報などが合致すると判断した危険判断条件に対応付いている報知内容情報を、危険判断条件格納部１１から取得する。
【００７９】
危険報知部１９は、危険判断部１８が、道路関連情報取得部１４が取得した道路関連情報、移動体関連情報取得部１５が取得した移動体関連情報、他移動体関連情報取得部１６が取得した他移動体関連情報、天候関連情報取得部１７が取得した天候関連情報のうちの１以上の情報が、１以上の危険判断条件のいずれかに合致すると判断した場合に、危険である旨を出力する。また、危険報知部１９は、例えば、危険判断部１８が、当該道路関連情報などが、１以上の危険判断条件のいずれにも合致しないと判断した場合に、危険である旨を出力してもよい。
【００８０】
当該「危険である旨を出力する」とは、通常、危険である旨を示す情報を出力することである。また、当該出力とは、ディスプレイへの表示、音出力、プロジェクターを用いた投影、プリンタでの印字、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。また、送信や蓄積、処理結果の引渡しの結果、例えば、いわゆるドライブレコーダーなどの装置が始動されたり、いわゆるビデオカメラやデジタルカメラによる映像の記録が開始されたりしてもよい。また、当該出力の結果、通常、危険である旨がユーザに報知される。
【００８１】
また、「危険である旨」とは、例えば、一般道路を制限速度以上の速度で走行していることや、前方の移動体に接近していること、前方の移動体との車間距離に注意すること、集中力が低下していること、運転に注意が必要であることなどを含み、広く解する。
【００８２】
また、出力の方法や手段などは、通常、予め決められているが、そうでなくてもよい。そうでない場合、危険報知部１９は、例えば、危険判断部１８が取得した報知内容情報に従い、危険である旨を出力してもよい。例えば、報知内容情報が「画面出力」であれば、危険報知部１９は、例えば、文字や画像を画面に出力する。また、例えば、報知内容情報が「警告音」であれば、危険報知部１９は、例えば、所定の警告音や、報知内容情報が有する警告音を出力する。
【００８３】
また、危険報知部１９は、通常、危険である旨を画面出力する。当該画面出力する場合において、例えば、画面に地図が出力されている場合や、前方画像が出力されている場合などでは、危険報知部１９は、通常、既に出力されている当該出力内容の上に重ねて、文字や画像を出力する。
【００８４】
また、危険報知部１９は、通常、危険判断部１８が１以上の危険判断条件のいずれかに合致すると判断してから、当該１以上の危険判断条件のいずれにも合致しないと判断するまでの間、危険である旨を出力し続ける。また、危険報知部１９は、例えば、危険判断部１８が１以上の危険判断条件のいずれかに合致すると判断してから、所定の時間の間、危険である旨を出力し、その後、出力を終了してもよい。
【００８５】
また、危険報知部１９は、ディスプレイやスピーカーなどの出力デバイスを含むと考えてもよいし、含まないと考えてもよい。危険報知部１９は、出力デバイスのドライバーソフトまたは、出力デバイスのドライバーソフトと出力デバイスなどで実現され得る。
【００８６】
なお、危険判断条件格納部１１、地図情報格納部１２は、不揮発性の記録媒体が好適であるが、揮発性の記録媒体でも実現可能である。また、危険判断条件格納部１１などに所定の情報が記憶される過程は、問わない。例えば、当該所定の情報は、記録媒体や、通信回線、入力デバイスなどを介して危険判断条件格納部１１などに記憶されてもよい。
【００８７】
また、道路関連情報取得部１４、他移動体関連情報取得部１６、距離関連情報取得手段１６２、危険判断部１８などは、通常、ＭＰＵやメモリ等から実現され得る。また、道路関連情報取得部１４などの処理手順は、通常、ソフトウェアで実現され、当該ソフトウェアはＲＯＭ等の記録媒体に記録されている。但し、ハードウェア（専用回路）で実現してもよい。
【００８８】
次に、車載装置１の全体動作について、フローチャートを用いて説明する。なお、所定の情報におけるｉ番目の情報は、「情報［ｉ］」と記載するものとする。図２は、車載装置１の全体動作を示すフローチャートである。
【００８９】
（ステップＳ２０１）車載装置１は、図示しない受付部が電源ＯＮの指示を受け付けたか否かを判断する。受け付けた場合は、ステップＳ２０２に進み、そうでない場合は、ステップＳ２０１に戻る。
【００９０】
（ステップＳ２０２）車載装置１は、電源ＯＮの処理を行う。
【００９１】
（ステップＳ２０３）現在位置情報取得部１３は、現在位置情報の取得を開始する。以降、現在位置情報取得部１３は、定期的に現在位置情報を取得する。
【００９２】
（ステップＳ２０４）車載装置１は、受付部が電源ＯＦＦの指示を受け付けたか否かを判断する。受け付けた場合は、ステップＳ２０５に進み、そうでない場合は、ステップＳ２０７に進む。
【００９３】
（ステップＳ２０５）現在位置情報取得部１３は、現在位置情報の取得を終了する。
【００９４】
（ステップＳ２０６）車載装置１は、電源ＯＦＦの処理を行う。そして、ステップＳ２０１に戻る。
【００９５】
（ステップＳ２０７）道路関連情報取得部１４は、道路関連情報の取得のタイミングであるか否かを判断する。例えば、定期的に道路関連情報を取得すると予め決められている場合、道路関連情報取得部１４は、以前に道路関連情報を取得してから、所定の時間が経過したか否かを判断する。そして、取得のタイミングである場合は、ステップＳ２０８に進み、そうでない場合は、ステップＳ２０９に進む。
【００９６】
（ステップＳ２０８）道路関連情報取得部１４は、道路関連情報を取得する。
【００９７】
（ステップＳ２０９）移動体関連情報取得部１５は、移動体関連情報の取得のタイミングであるか否かを判断する。例えば、定期的に移動体関連情報を取得すると予め決められている場合、移動体関連情報取得部１５は、以前に移動体関連情報を取得してから、所定の時間が経過したか否かを判断する。そして、取得のタイミングである場合は、ステップＳ２１０に進み、そうでない場合は、ステップＳ２１１に進む。
【００９８】
（ステップＳ２１０）移動体関連情報取得部１５は、移動体関連情報を取得する。
【００９９】
（ステップＳ２１１）他移動体関連情報取得部１６は、他移動体関連情報の取得のタイミングであるか否かを判断する。例えば、定期的に他移動体関連情報を取得すると予め決められている場合、他移動体関連情報取得部１６は、以前に他移動体関連情報を取得してから、所定の時間が経過したか否かを判断する。そして、取得のタイミングである場合は、ステップＳ２１２に進み、そうでない場合は、ステップＳ２１３に進む。
【０１００】
（ステップＳ２１２）他移動体関連情報取得部１６は、他移動体関連情報を取得する。
【０１０１】
（ステップＳ２１３）天候関連情報取得部１７は、天候関連情報の取得のタイミングであるか否かを判断する。例えば、定期的に天候関連情報を取得すると予め決められている場合、天候関連情報取得部１７は、以前に天候関連情報を取得してから、所定の時間が経過したか否かを判断する。そして、取得のタイミングである場合は、ステップＳ２１４に進み、そうでない場合は、ステップＳ２１５に進む。
【０１０２】
（ステップＳ２１４）天候関連情報取得部１７は、天候関連情報を取得する。
【０１０３】
（ステップＳ２１５）危険判断部１８は、ステップＳ２０８で取得した道路関連情報、ステップＳ２１０で取得した移動体関連情報、ステップＳ２１２で取得した他移動体関連情報、ステップＳ２１４で取得した天候関連情報が、危険判断条件格納部１１に格納されている１以上の危険判断条件のいずれかに合致するか否かを判断する。この処理の詳細は、図３のフローチャートを用いて説明する。また、この処理の結果、危険判断部１８は、道路関連情報などが危険判断条件に合致したか否かを示す合致フラグに「１」または「０」を代入する。
【０１０４】
（ステップＳ２１６）危険報知部１９は、合致フラグが１であるか否かを判断する。１である場合は、ステップＳ２１７に進み、そうでない場合は、ステップＳ２０４に戻る。
【０１０５】
（ステップＳ２１７）危険報知部１９は、危険である旨を出力する。
【０１０６】
なお、図２のフローチャートにおいて、電源オフや処理終了の割り込みにより処理を終了してもよい。
【０１０７】
図３は、図２のフローチャートのステップＳ２１５の危険判断条件に合致するか否かの判断処理を示すフローチャートである。なお、図３のフローチャートにおいて、危険判断条件格納部１１には、ｍ個の危険判断条件が格納されているものとする。
【０１０８】
（ステップＳ３０１）危険判断部１８は、合致フラグに０をセットする。
【０１０９】
（ステップＳ３０２）危険判断部１８は、道路関連情報取得部１４が道路関連情報を取得済みであるか否かを判断する。取得済みである場合は、ステップＳ３０３に進み、そうでない場合は、ステップＳ３０４に進む。
【０１１０】
（ステップＳ３０３）危険判断部１８は、危険判断条件に合致するか否かを判断する情報を格納する配列Ｔａｒｇｅｔ［］に、道路関連情報をセットする。
【０１１１】
（ステップＳ３０４）危険判断部１８は、移動体関連情報取得部１５が移動体関連情報を取得済みであるか否かを判断する。取得済みである場合は、ステップＳ３０５に進み、そうでない場合は、ステップＳ３０６に進む。
【０１１２】
（ステップＳ３０５）危険判断部１８は、Ｔａｒｇｅｔ［］に移動体関連情報を追加する。
【０１１３】
（ステップＳ３０６）危険判断部１８は、他移動体関連情報取得部１６が他移動体関連情報を取得済みであるか否かを判断する。取得済みである場合は、ステップＳ３０７に進み、そうでない場合は、ステップＳ３０８に進む。
【０１１４】
（ステップＳ３０７）危険判断部１８は、Ｔａｒｇｅｔ［］に他移動体関連情報を追加する。
【０１１５】
（ステップＳ３０８）危険判断部１８は、天候関連情報取得部１７が天候関連情報を取得済みであるか否かを判断する。取得済みである場合は、ステップＳ３０９に進み、そうでない場合は、ステップＳ３１０に進む。
【０１１６】
（ステップＳ３０９）危険判断部１８は、Ｔａｒｇｅｔ［］に天候関連情報を追加する。
【０１１７】
（ステップＳ３１０）危険判断部１８は、カウンタｉに１をセットする。
【０１１８】
（ステップＳ３１１）危険判断部１８は、Ｔａｒｇｅｔ［］に格納されている情報が、危険判断条件［ｉ］に合致するか否かを判断する。合致する場合は、ステップＳ３１２に進み、そうでない場合は、ステップＳ３１３に進む。
【０１１９】
（ステップＳ３１２）危険判断部１８は、合致フラグに１をセットする。そして、上位処理にリターンする。
【０１２０】
（ステップＳ３１３）危険判断部１８は、ｉがｍであるか否かを判断する。ｍである場合は、上位処理にリターンし、そうでない場合は、ステップＳ３１４に進む。
【０１２１】
（ステップＳ３１４）危険判断部１８は、ｉを１インクリメントし、ステップＳ３１１に戻る。
【０１２２】
（具体例）
次に、車載装置１の動作の具体例について説明する。なお、本具体例において、移動体は、自動車であるものとする。また、車載装置１は、自動車に搭載されているカーナビゲーションシステム（以下、カーナビ）であるものとする。また、危険判断条件格納部１１には、図４に示す危険判断条件が格納されているものとする。当該危険判断条件（項目名：条件）は、レコードを一意に特定するためのＩＤ（項目名：ＩＤ）が対応付いている。
【０１２３】
（例１）
まず、ユーザ（ドライバー）が自動車に乗り込み、運転を開始したとする。すると、現在位置情報取得部１３は、現在位置情報の定期的な取得を開始する。また、道路関連情報取得部１４と、移動体関連情報取得部１５と、他移動体関連情報取得部１６と、天候関連情報取得部１７は、それぞれ、道路関連情報と、移動体関連情報と、他移動体関連情報と、天候関連情報の取得を開始する。
【０１２４】
次に、道路関連情報を取得するタイミングにおいて、道路関連情報取得部１４が道路種類情報「高速道路」を取得したとする。また、当該タイミングの次のタイミングにおいて、道路関連情報取得部１４が道路種類情報「一般道路」を取得したとする。
【０１２５】
次に、道路関連情報取得部１４が道路種類情報「一般道路」を取得したタイミングにて、移動体関連情報取得部１５が速度情報「８５ｋｍ／ｈ」を取得したとする。
【０１２６】
次に、危険判断部１８は、道路関連情報取得部１４が取得した時間的に連続する２つの道路種類情報「高速道路」、「一般道路」と、移動体関連情報取得部１５が取得した速度情報「８５ｋｍ／ｈ」とが、図４の危険判断条件のいずれかに合致するか否かを判断する。そして、危険判断部１８は、これらの情報が、図４の「ＩＤ＝０１２」の危険判断条件「（道路種類＝高速道路→一般道路）＆（速度≧８０ｋｍ／ｈ）」に合致すると判断する。当該危険判断条件は、「走行している道路が高速道路から一般道路になったこと、かつ、速度が８０ｋｍ／ｈ以上であること」を意味する。
【０１２７】
次に、危険報知部１９は、危険である旨を出力する。ここで、車載装置１は画面を備えており、図５に示す画像を出力しているものとする。この場合、危険報知部１９は、例えば、図６に示すように、既に出力されている画像に重ねて危険である旨を示す情報（ここでは画像）を出力する。
【０１２８】
また、例えば、上記において、道路関連情報取得部１４が道路構造情報「トンネル」を取得し、距離関連情報取得手段１６２が距離情報「２５ｍ」と、距離変化情報「接近」を取得したとする。当該距離情報と、距離変化情報とは、自車の前方に位置する他車に対してのものである。この場合、危険判断部１８は、これらの情報が、図４の「ＩＤ＝０１３」の危険判断条件「（道路構造＝トンネル）＆（車間距離≦３０ｍ）＆（距離変化＝接近）」に合致すると判断する。当該危険判断条件は、「走行している道路の構造がトンネルであること、かつ、前方の他車との車間距離が３０ｍ以下であること、かつ、前方の他車に接近していること」を意味する。
【０１２９】
なお、距離変化情報の取得の方法の例は、次のとおりである。まず、距離関連情報取得手段１６２は、距離変化情報の取得のタイミングにて、距離情報を取得する。ここで、当該距離情報が「２６ｍ」であったとする。次に、距離関連情報取得手段１６２は、次のタイミングでさらに距離情報を取得する。ここで、当該距離情報が「２５ｍ」であったとする。そして、距離関連情報取得手段１６２は、後に取得した距離情報「２５ｍ」が、先に取得した距離情報「２６ｍ」よりも大きいか、または小さいか、または同じであるかを判断する。そして、距離関連情報取得手段１６２は、後に取得した距離情報が先に取得した距離情報よりも小さいと判断し、他車との距離が縮まっていることを示す距離変化情報「接近」を取得する。
【０１３０】
また、例えば、上記において、道路関連情報取得部１４が道路種類情報「一般道路」を取得し、天候関連情報取得部１７が天気情報「雨」を取得し、移動体関連情報取得部１５が速度情報「５５ｋｍ／ｈ」を取得したとする。この場合、危険判断部１８は、これらの情報が、図４の「ＩＤ＝０１４」の危険判断条件「（道路種類＝一般道路）＆（天気＝雨）＆（速度≧５０ｋｍ）」に合致すると判断する。当該危険判断条件は、「走行している道路の種類が一般道路であること、かつ、天気が雨であること、かつ、速度が５０ｋｍ／ｈ以上であること」を意味する。
【０１３１】
（例２）
本例において、前方画像を用いた距離関連情報の取得の方法の例について説明する。なお、距離変化情報の取得の方法の例については、例１において説明したので、距離情報の取得の方法の例についてのみ説明する。
【０１３２】
まず、前方画像取得手段１６１は、距離関連情報の取得のタイミングにおいて、前方画像を取得する。ここで、当該前方画像は、図７に示す画像であるものとする。
【０１３３】
次に、距離関連情報取得手段１６２は、図７の画像から輪郭を検出する。そして、距離関連情報取得手段１６２は、図８に示す画像を取得したものとする。
【０１３４】
次に、距離関連情報取得手段１６２は、図８の形状が、自動車の形状であるか否かを判断する。このとき、距離関連情報取得手段１６２は、自動車の形状のパターンを保持しており、図８の形状が、当該パターンに一致するまたは類似するか否かを判断する。この結果、距離関連情報取得手段１６２は、図８の形状が自動車の形状であると判断したものとする。そして、距離関連情報取得手段１６２は、図８の形状で示される図７の画像中の領域を、他車が写っている領域（以下、適宜、他車領域）であると特定する。
【０１３５】
次に、距離関連情報取得手段１６２は、図７の前方画像の大きさに対する他車領域の大きさの割合（以下、適宜、他車割合）を算出する。ここで、当該割合が「８０％」であったとする。
【０１３６】
次に、距離関連情報取得手段１６２は、他車割合を算出することで距離情報を算出する式を保持しており、当該式に算出した他車割合を代入し、距離情報を算出する。この結果、距離関連情報取得手段１６２は、距離情報「１０ｍ」を取得したものとする。
【０１３７】
（例３）
本例において、危険判断条件格納部１１に格納されている危険判断条件に、報知内容情報が対応付いている例について説明する。なお、当該危険判断条件は、図９に示すものである。図９において、報知内容情報は、項目名「報知内容」である。他の項目の説明については、前述のとおりであるので、説明を省略する。
【０１３８】
まず、例１と同様に、道路関連情報取得部１４などが道路種類情報などを取得した結果、危険判断部１８が、それらの情報が図９の「ＩＤ＝０１２」の危険判断条件に合致すると判断したとする。すると、危険判断部１８は、図９の「ＩＤ＝０１２」の報知内容情報「警告画面０１」を取得する。当該報知内容情報は、「警告画面０１」で識別される予め用意された画像を画面出力することを示す。また、当該画像は、車載装置１の所定の記憶領域に格納されているものとする。
【０１３９】
次に、危険報知部１９は、所定の記憶領域から「警告画面０１」で識別される画像を取得する。そして、危険報知部１９は、当該取得した画像を画面出力する。当該出力の様子は、例えば、図６である。
【０１４０】
また、例えば、危険判断部１８が、道路関連情報取得部１４などが道路構造情報などを取得した結果、それらの情報が図９の「ＩＤ＝０１５」の危険判断条件に合致すると判断したとする。すると、危険判断部１８は、図９の「ＩＤ＝０１５」の報知内容情報「警告音０２」を取得する。当該報知内容情報は、「警告音０２」で識別される予め用意された楽曲データを再生し、スピーカー出力することを示す。当該楽曲データは、例えば、警告音を発するものである。また、当該楽曲データは、車載装置１の所定の記憶領域に格納されているものとする。
【０１４１】
次に、危険報知部１９は、所定の記憶領域から「警告音０２」で識別される楽曲データを取得する。そして、危険報知部１９は、当該取得した楽曲データを再生し、警告音をスピーカー出力する。
【０１４２】
以上、本実施の形態による車載装置１によれば、走行している道路や移動体の状況に応じて危険予測を行うことができる。これにより、例えば、危険な状況になりやすいシーンを走行しているユーザに対して、危険である旨を報知することができ、事故などを未然に防ぐことができる。
【０１４３】
また、上記各実施の形態において、一の装置に存在する２以上の通信手段は、物理的に一の媒体で実現されてもよいことは言うまでもない。
【０１４４】
また、上記各実施の形態における車載装置は、例えば、スタンドアロンの装置であってもよいし、サーバ・クライアントシステムにおけるサーバ装置であってもよい。後者の場合には、例えば、ＡＳＰ（Ａｐｐｌｉｃａｔｉｏｎ  Ｓｅｒｖｉｃｅ  Ｐｒｏｖｉｄｅｒ）として危険予測が行われてもよい。
【０１４５】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１４６】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１４７】
また、上記各実施の形態における車載装置を実現するソフトウェアは、例えば、以下のようなプログラムである。つまり、このプログラムは、危険であると判断するための１以上の危険判断条件が格納される危険判断条件格納部にアクセス可能なコンピュータを、移動体が走行している道路に関する情報である道路関連情報を取得する道路関連情報取得部と、走行時の移動体に関する情報である移動体関連情報を取得する移動体関連情報取得部と、前記道路関連情報取得部が取得した道路関連情報と、前記移動体関連情報取得部が取得した移動体関連情報とが、前記１以上の危険判断条件のいずれかに合致するか否かを判断する危険判断部と、前記危険判断部が、前記１以上の危険判断条件のいずれかに合致すると判断した場合に、危険である旨を出力する危険報知部として機能させるためのプログラムである。
【０１４８】
なお、上記プログラムにおいて、ハードウェアでしか行われない処理は少なくとも含まれない。
【０１４９】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１５０】
また、上記プログラムを実行するコンピュータは、単数であってもよいし、複数であってもよい。つまり、集中処理を行ってもよいし、あるいは分散処理を行ってもよい。
【０１５１】
また、図１０は、前述のプログラムを実行して、前述の実施の形態の車載装置等を実現するコンピュータシステム９の概観図である。前述の実施の形態は、コンピュータハードウェア及びその上で実行されるコンピュータプログラムで実現され得る。
【０１５２】
図１０において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０１５３】
図１１は、コンピュータシステム９のブロック図である。図１１において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、及びデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０１５４】
コンピュータシステム９に、前述の実施の形態の車載装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１５５】
プログラムは、コンピュータ９０１に、前述の実施の形態の車載装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１５６】
本発明は、以上の実施の形態に限定されることなく、種々の変更が可能であり、それらも本発明の範囲内に包含されるものであることは言うまでもない。
【産業上の利用可能性】
【０１５７】
以上のように、本発明にかかる車載装置は、走行している道路や移動体の状況に応じて危険予測を行うことができるという効果を有し、ナビゲーション装置等として有用である。
【符号の説明】
【０１５８】
１  車載装置
１１  危険判断条件格納部
１２  地図情報格納部
１３  現在位置情報取得部
１４  道路関連情報取得部
１５  移動体関連情報取得部
１６  他移動体関連情報取得部
１７  天候関連情報取得部
１８  危険判断部
１９  危険報知部
１６１  前方画像取得手段
１６２  距離関連情報取得手段
【図１】
2014089554.tif 000003
【図２】
2014089554.tif 000004
【図３】
2014089554.tif 000005
【図４】
2014089554.tif 000006
【図５】
2014089554.tif 000007
【図６】
2014089554.tif 000008
【図８】
2014089554.tif 000009
【図９】
2014089554.tif 000010
【図１０】
2014089554.tif 000011
【図１１】
2014089554.tif 000012
【図７】
2014089554.tif 000013